(57)【要約】【課題】本発明は、防湿・防滴を目的としたポッティング処理が所期の目的に対応できると同時に、ポッティング処理に際し充填材の流出もなく、引出線の挿通路である足に形成された溝への樹脂の充填も回避できで、外観上の汚点を排除できるベンチュリケースの実現を目的とする。【解決手段】本発明に成る軸流ファンのベンチュリケースは、風洞部から通風路を横断する複数の足で連結されて一体を成す円筒部を備え、駆動回路等が熱伝導性樹脂で充填埋設される構成の軸流ファンに使用されるベンチュリーケースで、円筒部周壁の一部が、同心状を成し所定高さを有する二重壁として形成され、内壁が前記ポッティング処理の際の樹脂受け周壁を成し、外壁が引出線の挿通する溝を備える開口幅の広い切除部が形成され、該切除部が足部の溝に連通する如く構成されている。【選択図】　　　　図４
2004084519.tif 000002
【特許請求の範囲】
【請求項１】
円筒状風洞部と、該風洞部から通風路を横断する複数の足で連結されて一体を成す円筒部を備え、該円筒部の内面に駆動用電動機と該電動機を制御する駆動回路が内装されると共に、該駆動回路がポッティング材で充填埋設される軸流ファンに使用される軸流ファンのベンチュリーケースにおいて、前記円筒部周壁の一部が、同心状を成し所定高さを有する二重壁として形成され、内壁が前記ポッティング処理の際の樹脂受け周壁を成し、外壁が引出線の挿通する溝を有するポケットを備えること、を特徴とする軸流ファンのベンチュリケース。
【請求項２】
前記円筒部に形成された二重壁は、前記ポケットと周方向に連接し、内周側に開の溝を有する第２のポケットを備えること、を特徴とする請求項１に記載の軸流ファンのベンチュリケース。
【請求項３】
前記第１のポケットに形成される引出線の挿通溝は、外壁先端側で開口幅が狭く、円筒部底面側端部に、これと連通する開口幅の広い切除部が形成され、該切除部が足の溝に連通するように形成されていること、を特徴とする請求項１もしくは２に記載の軸流ファンのベンチュリケース。
【発明の詳細な説明】
【０００１】
【産業上の利用分野】
本発明は、軸流ファン、特に内装される駆動回路の防湿・防滴等を目的としたポッティング処理を必要とする軸流ファンのベンチュリケースに関する。
【０００２】
【従来の技術】
ベンチュリケースと一体を成す円筒部内部に配設される駆動回路を、防湿・防滴等の目的のために熱伝導性に優れた樹脂で充填・埋設する、いわゆるポッティング処理を行う事は知られている。そしてこのポッティング処理に際し、内装される電動機および駆動回路からの引出線の通路として、当該円筒部の周壁の一部を切除した窓が必要となるので、内部に充填する樹脂の流出を阻止するために、該窓部の封止作業を余儀なくされ、該封止手段が手作業での処理に依存し、多くの工数を要する他、処理終了での仕上がりが醜くなる等の問題があった。
【０００３】
図５と図６は従来技術に成るベンチュリケース１の例の断面図と正面図、図７は図５、図６に示すベンチュリケース１を使用した軸流ファン１２の例の断面図、図８は図７の例の正面図である。
【０００４】
図７を参照して図６に見るように、電動機１０と駆動回路７を収納する円筒部３は、その中心に軸受箱を形成する小径円筒部４を備えたカップ状断面を示すが、上述の通り、円筒部３の側壁の一部には足５に形成された溝５−１に連通する引出線８の挿通路６が設けられており、内装される駆動回路７等を埋設するためのポッティング作業で、充填される樹脂９が当該挿通路６から流出するので、これを阻止することが作業の前提となることは明白である。そこで現実的には、挿通路６と、該挿通路６に連通するベンチュリケース１の足５に設けられた引出線挿通用溝５−１を含むベンチュリケース１の周囲をテープや接着剤等で覆って樹脂９の注入を行っている。
【０００５】
このような作業においては、図８に見る引出線８の周囲は、ベンチュリケース１の足５に形成された、引出線挿通路５−１となる溝の挿通路６側において、ハッチングで示す接着剤１３の露出が避けられないのが実態であった。
【０００６】
【発明が解決しようとする課題】
上述の如き従来の構成は、内部での駆動回路等の防湿・防滴の目的は果たすにせよ、外観上の醜さ等を伴い商品価値の向上の面から改善の余地があった。
【０００７】
【課題を解決するための手段】
本発明に成る軸流ファンのベンチュリケースは、円筒状風洞部と、該風洞部から通風路を横断する複数の足で連結されて一体を成す円筒部を備え、該円筒部の内面に配設される駆動回路等が樹脂で充填埋設される構成の軸流ファンに使用されるベンチュリーケースで、前記円筒部周壁の一部が、同心状を成し所定高さを有する二重壁として形成され、内壁が前記ポッティング処理の際の樹脂受け周壁を成し、外壁が引出線の挿通する溝を備える第１のポケットと、これと周方向に連接し内周側に開の溝を有する第２のポケットを備え、もしくは前記第１のポケットに形成される引出線の挿通溝は、外壁先端側で開口幅が狭く、円筒部底面側端部に、これと連通する開口幅の広い切除部が形成され、該切除部が足部の溝に連通する如く構成されている。
【０００８】
【実施例】
図１は本発明に成るベンチュリケース１の例の断面図で、図２は図１の例の開口側を見る正面図、図３は図２のＣ部拡大図とそのＤ−Ｄ断面図である。
ベンチュリケース１の外周壁風洞部２と当該電動機１０等を保持するための円筒部３とは通風路を横断する複数の足５で連結され、内装される電動機１０や駆動回路７の引出線８を外部へ導く為に、前記足５のうちの何れかの表面に溝５−１を形成し、該溝５−１を引出線挿通路６の一部とする点は基本的に従来と変わりはない。
【０００９】
図１から図４に示すように、円筒部３に駆動回路７と重なるように内装された固定子に連通する引出線８は、内側に開の溝３−２２を備える第２のポケット３−２に潜り込むように這わせた後、該第２のポケット３−２と隔壁３−２１を隔てて連通配置される第１のポケット３−１に、隔壁３−２１を乗り越えて挿入される。そして、第１のポケット３−１では、外側に開の引出線挿通溝３−１２を利用して収納され、円筒部底面端部の広い切除部に例えば結束バンド１４等での束線部材を収納した状態で、足５に形成された溝５−１に挿通される。
【００１０】
従って、従来技術での課題として上述したように、ポッティング処理を施す場合には、注入される樹脂９は、第１のポケット３−１が形成されている二重壁部分ではその内壁３−１１が、これに連通する円筒部３の側壁とで樹脂の受け周壁を形成するので、樹脂９の漏出の懸念が無く、しかも外部に露出する引出線８は、樹脂９に浸されることが無いので樹脂付着による汚染の懸念が皆無となる。
【００１１】
【発明の効果】
本発明に成る軸流ファンのベンチュリケースは、防湿・防滴を目的としたポッティング処理が所期の目的に対応できると共に、ポッティング処理に際し充填材の流出もなく、従って引出線の挿通路である足に形成された溝への樹脂の充填も回避できるので外観上の汚点を排除できる効果をもたらす。
【図面の簡単な説明】
【図１】本発明に成る軸流ファンのベンチュリケースの例の断面図である。
【図２】図１の例の開口側から見た正面図である。
【図３】図２の例の部分拡大図と断面図である。
【図４】本発明に成るベンチュリケースを使用した軸流ファンの例の要部断面図である。
【図５】従来技術に成る軸流ファンのベンチュリケースの例の断面図である。
【図６】図５の例の開口側から見た正面図とその要部拡大図である。
【図７】従来技術に成るベンチュリケースを使用した軸流ファンの例の要部断面図である。
【図８】図７の例の正面図とその要部拡大図である。
【符号の説明】
１　　　　ベンチュリケース
２　　　　円筒状風洞部
３　　　　円筒部
３−１　　樹脂受け周壁を形成する第１のポケット
３−１１　内壁
３−１２　引出線挿通溝
３−２　　内側に開の第２のポケット
３−２１　隔壁
３−２２　内側に開の溝
４　　　　軸受箱を形成する小径円筒部
５　　　　足
５―１　　何れかの足に形成される引出線挿通路となる溝
６　　　　引出線挿通路
７　　　　駆動回路
８　　　　引出線
９　　　　樹脂
１０　　　電動機
１１　　　羽根車
１２　　　軸流ファン
１３　　　接着剤
１４　　　結束バンド
【図１】
2004084519.tif 000003
【図２】
2004084519.tif 000004
【図３】
2004084519.tif 000005
【図４】
2004084519.tif 000006
【図５】
2004084519.tif 000007
【図６】
2004084519.tif 000008
【図７】
2004084519.tif 000009
【図８】
2004084519.tif 000010